(57)【要約】      （修正有）【課題】１本の水筒で２種類の飲料水を楽しめる。【解決手段】水筒Ａ２と水筒Ｂ３とからなるものとしていて、水筒本体の底部、底部の外周に下方に向けて形成した筒、筒の内部は蓋になっており内径部には雌螺子山を形成しており底蓋とする、その底蓋を含めた部分を水筒Ａ２とし、水筒Ｂ３は先端部より雄螺子山を含む下部を水筒Ｂ３とする、水筒Ａ２の底蓋と水筒Ｂ３の先端部は螺合し一体型を形成した二槽式である。【選択図】図２
2009005810.tif 000002
【特許請求の範囲】
【請求項１】
水筒Ａ（２）と水筒Ｂ（３）とからなるものとしていて、水筒本体（１）の底部（４）、底部（４）の外周に下方に向けて形成した筒（５）、筒（５）の内部は蓋になっており内径部には雌螺子山（６）を形成しており底蓋（８）とする、その底蓋（８）を含めた部分を水筒Ａ（２）とし、水筒Ｂ（３）は先端部（９）より雄螺子山（７）を含む下部を水筒Ｂ（３）とする、水筒Ａ（２）の底蓋（８）と水筒Ｂ（３）の先端部（９）は螺合し一体型を形成した二槽式であることを特徴とする水筒。
【請求項２】
水筒Ａ（２）と水筒Ｂ（３）が保温式であることを特徴とする、請求項１記載の水筒。
【請求項３】
水筒Ａ（２）と水筒Ｂ（３）が保冷式であることを特徴とする、請求項１記載の水筒。
【請求項４】
水筒Ａ（２）が保温式で水筒Ｂ（３）が保冷式であることを特徴とする、請求項１記載の水筒。
【発明の詳細な説明】
【技術分野】
【０００１】
この発明は、一本の水筒で２種類の飲料水が飲める、水筒に関するものである。
【背景技術】
【０００２】
従来、１本の水筒で１種類の飲料の持ち運びしか出来なかった。よって１種類の飲料しか味わうことしかできなかった。
【特許文献１】特開平１０−１１８号公報
【発明の開示】
【発明が解決しようとする課題】
【０００３】
最近の若い人の昼食は、弁当にお茶とカップ麺と言う組合せで良く食べています。お茶は水筒に入っていますが、カップ麺のお湯は別に沸かすか、又は、販売店で貰っています、お湯を貰う手段が無い場合は、仕方が無いので我慢していました。又、如何してもカップ麺が食べたい場合は、２本の水筒を携行したらいいのですが、２本持って行くのも少し恥ずかしいので、お茶の入った水筒１本で我慢していました。本発明は以上の欠点を解決するためのものである。
【課題を解決するための手段】
【０００４】
上記目的達成のため、本発明者は、２本の水筒を重ねる水筒を開発した。すなわち、水筒Ａ（２）と水筒Ｂ（３）とからなるものとしていて、水筒本体（１）の底部（４）、底部（４）の外周に下方に向けて形成した筒（５）、筒（５）の内部は蓋になっており内径部には雌螺子山（６）を形成しており底蓋（８）とする、その底蓋（８）を含めた部分を水筒Ａ（２）とし、水筒Ｂ（３）は先端部（９）より雄螺子山（７）を含む下部を水筒Ｂ（３）とする、水筒Ａ（２）の底蓋（８）と水筒Ｂ（３）の先端部（９）は螺合し一体型を形成した二槽式であることを特徴とする水筒であるので、見た目もよく使用も簡単である。又、二槽式を限定することなく三層式でも良い。
【０００５】
さらに、本願第２の発明の構成は、請求項２記載のとおりである。上記第２の発明の構成に係る水筒は、請求項１に記載の水筒であって、水筒Ａ（２）と水筒Ｂ（３）が保温式であることを特徴とする水筒であるので、二種類の高温水を保つことができる。
【０００６】
さらに、本願第３の発明の構成は、請求項３記載のとおりである。上記第３の発明の構成に係る水筒は、請求項１に記載の水筒であって、水筒Ａ（２）と水筒Ｂ（３）が保冷式であることを特徴とする水筒であるので、二種類の保冷水を保つことができる。
【０００７】
さらに、本願第４の発明の構成は、請求項４記載のとおりである。上記第４の発明の構成に係る水筒は、請求項１に記載の水筒であって、水筒Ａ（２）が保温式で水筒Ｂ（３）が保冷式であることを特徴とする水筒であるので、保温水と保冷水を保つことができる。
又、水筒Ａ（２）が保冷式で水筒Ｂ（３）が保温式でも良い。
【発明の効果】
【０００８】
本願の第１の発明に係る二槽式水筒は、２つの飲料水が使用出来ので、２本の水筒を携行する必要はないので、見た目にも1本の水筒にしか見えません。他人に２本もっていると冷やかせることもなく、又、持ち運びも少し重い程度ですみます。切り離す場合は螺子を戻すだけで、水筒Ａ（２）と水筒Ｂ（３）に分離出来るで、テーブルの上に立ておけば、使用する時、用途に応じて二種類を使い分け出来る一体型を形成した二槽式水筒を提供するものである。
【０００９】
さらに、本願の第２の発明によれば、上記発明の効果に加え、水筒Ａ（２）と水筒Ｂ（３）とを保温式にすることにより、高温のお茶を水筒Ａ（２）に、高温のお湯を水筒Ｂ（３）に入れておくことにより、昼食時に弁当、お茶、カップラーメンの３点セットで楽しむことができる。
【００１０】
さらに、本願の第３の発明によれば、第１の発明の効果に加え、水筒Ａ（２）と水筒Ｂ（３）とを保冷式にすることにより、冷たいコーヒーを水筒Ａ（２）に、冷水を水筒Ｂ（３）に入れておくことにより、昼食時に冷たいコーヒーと冷水を楽しむことができる。
【００１１】
さらに、本願の第４の発明によれば、第１発明の効果に加え、水筒Ａ（２）が保温式で
水筒Ｂ（３）が保冷式にすることにより、高温のお茶を水筒Ａ（２）に、冷たいコーヒーを水筒Ｂ（３）に入れておくことにより、昼食時に弁当、お茶、を楽しみ、さらに時間が過ぎてから冷たいコーヒーを楽しむことができる。
【発明を実施するための最良の形態】
【００１２】
本発明における好適な実施の形態について、添付図面を参照して説明する。尚、以下に説明する実施の形態は、特許請求の範囲に記載された本発明の内容を限定するものではない。又、以下に説明される構成が、本発明の必須要件であるとは限らない。
【実施例】
【００１３】
図１は、従来の水筒の形態の斜視図を示す。従来の水筒は図１で示すように底部が平らで平坦な所では、立位の姿勢を保ち蓋及び注ぎ口は上部に位置している。以下、本願発明における実施の形態を図面に基づいて説明する。
【００１４】
図２は、本願発明の一体型を形成した二槽式水筒の形態の斜視図を示す。（２）は水筒Ａを示している。（３）は水筒Ｂを示している。
【００１５】
図３は、水筒Ａ（２）の斜視図を示す。この図は、蓋部（１０）を取外した状態の水筒本体（１）を示しており、底部（４）の外周より、下方に向けて筒（５）を形成している、筒（５）の内部は蓋状になっており、内径部に雌螺子山（６）を設けることにより、底蓋（８）を形成している。
【００１６】
図４は、水筒Ａ（２）の蓋（１０）の斜視図を示す。蓋（１０）に設けている雌螺子山（６）を左に回すことにより、図３に示す水筒本体（１）の雄螺子山（７）より取外した状態である。
【００１７】
図５は、水筒Ｂ（３）の斜視図を示す。水筒Ｂ（３）の先端部（９）には、雄螺子山（７）を設けている。雄螺子山（７）は、水筒Ａ（２）の雌螺子山（６）と螺合することにより、水筒Ａと水筒Ｂは合体して一体型の二槽式水筒になり図２の形態を示す。
【図面の簡単な説明】
【００１８】
【図１】従来の水筒の形態の斜視図を示す。
【図２】本願発明の一体型を形成した二槽式水筒の形態の斜視図を示す。
【図３】水筒Ａ（２）の斜視図を示す。
【図４】水筒Ａ（２）の蓋（１０）の斜視図を示す。
【図５】水筒Ｂ（３）の斜視図を示す。
【符号の説明】
【００１９】
１        水筒本体
２        水筒Ａ
３        水筒Ｂ
４        底部
５        筒
６        雌螺子山
７        雄螺子山
８        底蓋
９        先端部
１０      蓋
【図１】
2009005810.tif 000003
【図２】
2009005810.tif 000004
【図３】
2009005810.tif 000005
【図４】
2009005810.tif 000006
【図５】
2009005810.tif 000007